(57)【要約】      （修正有）【課題】寸法の異なる少なくとも二種類の紙箱を形成することが可能な紙箱用ブランクを提供する。【解決手段】メイン紙箱を形成し得るとともに、メイン紙箱よりも縦寸法が小さく深さ寸法が大きいサブ紙箱を形成し得る紙箱用ブランクであって、平面視長方形の基部１と、共通縦罫線１０，１０を介して基部１に繋がる第一フラップ部２，２と、メイン横罫線１１，１１を介して基部１に繋がる第二フラップ部３，３とを備える。また、基部１には、サブ紙箱用のサブ横罫線１２，１２がメイン横罫線１１に平行して形成されており、第一フラップ部２には、メイン紙箱用のメイン縦罫線２１およびサブ紙箱用のサブ縦罫線２２が共通縦罫線１０に平行して形成されており、かつ、サブ紙箱用の切断位置を示す切断目印２３がサブ横罫線１２の延長上に形成されている。【選択図】図１
0003171869.tif 000002
【実用新案登録請求の範囲】
【請求項１】
メイン紙箱を形成し得るとともに、前記メイン紙箱よりも縦寸法が小さく且つ深さ寸法が大きいサブ紙箱を形成し得る紙箱用ブランクであって、
平面視長方形の基部（１）と、
前記基部（１）の四辺のうちの対向する二辺のそれぞれに繋がる一対の第一フラップ部（２）と、
前記基部（１）の残り二辺のそれぞれに繋がる一対の第二フラップ部（３）と、を備えており、
前記基部（１）と前記各第一フラップ部（２）との境界には、前記メイン紙箱を組み立てる際の折り曲げ位置となる共通縦罫線（１０）が形成されており、
前記基部（１）と前記各第二フラップ部（３）との境界には、前記メイン紙箱を組み立てる際の折り曲げ位置となるメイン横罫線（１１）が形成されており、
前記基部（１）には、前記サブ紙箱を組み立てる際の折り曲げ位置となる一対のサブ横罫線（１２）が形成されており、
前記各第一フラップ部（２）には、前記メイン紙箱を組み立てる際の折り曲げ位置となるメイン縦罫線（２１）と、前記サブ紙箱（Ｓ）を組み立てる際の折り曲げ位置となるサブ縦罫線（２２）と、前記サブ紙箱を組み立てる際の切断位置を示す切断目印（２３）とが形成されており、
前記共通縦罫線（１０）は、前記サブ紙箱を組み立てる際にも折り曲げ位置となり、
前記サブ横罫線（１２）は、前記メイン横罫線（１１）に平行であり、
前記メイン縦罫線（２１）および前記サブ縦罫線（２２）は、前記共通縦罫線（１０）に平行であり、
前記切断目印（２３）は、前記サブ横罫線（１２）の延長上に設けられている、ことを特徴とする紙箱用ブランク。
【請求項２】
メイン紙箱を形成し得るとともに、前記メイン紙箱よりも縦寸法が小さいサブ紙箱を形成し得る紙箱用ブランクであって、
平面視長方形の基部（１）と、
前記基部（１）の四辺のうちの対向する二辺のそれぞれに繋がる一対の第一フラップ部（２）と、
前記基部（１）の残り二辺のそれぞれに繋がる一対の第二フラップ部（３）と、を備えており、
前記基部（１）と前記各第一フラップ部（２）との境界には、前記メイン紙箱を組み立てる際の折り曲げ位置となる共通縦罫線（１０）が形成されており、
前記基部（１）と前記各第二フラップ部（３）との境界には、前記メイン紙箱を組み立てる際の折り曲げ位置となるメイン横罫線（１１）が形成されており、
前記基部（１）には、前記サブ紙箱を組み立てる際の折り曲げ位置となる一対のサブ横罫線（１２）が形成されており、
前記各第一フラップ部（２）には、前記メイン紙箱を組み立てる際の折り曲げ位置となるメイン縦罫線（２１）と、前記サブ紙箱を組み立てる際の切断位置を示す切断目印（２３）とが形成されており、
前記共通縦罫線（１０）、前記メイン横罫線（１１）および前記メイン縦罫線（２１）は、前記サブ紙箱を組み立てる際にも折り曲げ位置となり、
前記サブ横罫線（１２）は、前記メイン横罫線（１１）に平行であり、
前記メイン縦罫線（２１）は、前記共通縦罫線（１０）に平行であり、
前記切断目印（２３）は、前記サブ横罫線（１２）の延長上に設けられている、ことを特徴とする紙箱用ブランク。
【考案の詳細な説明】
【技術分野】
【０００１】
本考案は、紙箱用ブランクに関する。
【背景技術】
【０００２】
商品配送等に使用される紙箱は、ブランクと呼ばれる板紙からなる。ブランクには、折り曲げ位置となる罫線（押罫、切罫、ミシン罫、リード罫など）が予め形成されている。
【考案の概要】
【考案が解決しようとする課題】
【０００３】
ブランク各部の形状や罫線の位置は、紙箱の仕上り形状（仕上り寸法）に合わせているので、形状・寸法の異なる多種類の商品等を取り扱う場合には、商品等の形状・寸法に適した紙箱を選択できるよう、複数種類のブランクを用意する必要がある。しかしながら、使用頻度の高い紙箱であれば兎も角、使用頻度の低い紙箱まで用意すると、資材調達に掛かるコストが増加する虞がある。
【０００４】
このような観点から、本考案は、寸法の異なる少なくとも二種類の紙箱を形成することが可能な紙箱用ブランクを提供することを課題とする。
【課題を解決するための手段】
【０００５】
上記課題を解決する第一の考案は、メイン紙箱を形成し得るとともに、メイン紙箱よりも縦寸法が小さく且つ深さ寸法が大きいサブ紙箱を形成し得る紙箱用ブランクであって、平面視長方形（正方形を含む）の基部（１）と、基部（１）の四辺のうちの対向する二辺のそれぞれに繋がる一対の第一フラップ部（２）と、基部（１）の残り二辺のそれぞれに繋がる一対の第二フラップ部（３）とを備えていることを特徴とする。
第一の考案に係る紙箱用ブランクにおいて、基部（１）と各第一フラップ部（２）との境界には、メイン紙箱を組み立てる際の折り曲げ位置となる共通縦罫線（１０）が形成されており、基部（１）と各第二フラップ部（３）との境界には、メイン紙箱を組み立てる際の折り曲げ位置となるメイン横罫線（１１）が形成されており、基部（１）には、サブ紙箱を組み立てる際の折り曲げ位置となる一対のサブ横罫線（１２）が形成されており、第一フラップ部（２）には、メイン紙箱を組み立てる際の折り曲げ位置となるメイン縦罫線（２１）と、サブ紙箱を組み立てる際の折り曲げ位置となるサブ縦罫線（２２）と、前記サブ紙箱を形成する際の切断位置を示す切断目印（２３）とが形成されている。
前記共通縦罫線（１０）は、前記サブ紙箱を組み立てる際にも折り曲げ位置となり、サブ横罫線（１２）は、メイン横罫線（１１）に平行であり、各メイン縦罫線（２１）およびサブ縦罫線（２２）は、共通縦罫線（１０）に平行であり、切断目印（２３）は、サブ横罫線（１２）の延長上に設けられている。
【０００６】
上記課題を解決する第二の考案は、メイン紙箱を形成し得るとともに、前記メイン紙箱よりも縦寸法が小さいサブ紙箱を形成し得る紙箱用ブランクであって、平面視長方形の基部（１）と、前記基部（１）の四辺のうちの対向する二辺のそれぞれに繋がる一対の第一フラップ部（２）と、前記基部（１）の残り二辺のそれぞれに繋がる一対の第二フラップ部（３）とを備えていることを特徴とする。
第二の考案に係る紙箱用ブランクにおいて、前記基部（１）と前記各第一フラップ部（２）との境界には、前記メイン紙箱を組み立てる際の折り曲げ位置となる共通縦罫線（１０）が形成されており、前記基部（１）と前記各第二フラップ部（３）との境界には、前記メイン紙箱を組み立てる際の折り曲げ位置となるメイン横罫線（１１）が形成されており、前記基部（１）には、前記サブ紙箱を組み立てる際の折り曲げ位置となる一対のサブ横罫線（１２）が形成されており、前記各第一フラップ部（２）には、前記メイン紙箱を組み立てる際の折り曲げ位置となるメイン縦罫線（２１）と、前記サブ紙箱を組み立てる際の切断位置を示す切断目印（２３）とが形成されている。
前記共通縦罫線（１０）、前記メイン横罫線（１１）および前記メイン縦罫線（２１）は、前記サブ紙箱を組み立てる際にも折り曲げ位置となり、前記サブ横罫線（１２）は、前記メイン横罫線（１１）に平行であり、前記メイン縦罫線（２１）は、前記共通縦罫線（１０）に平行であり、前記切断目印（２３）は、前記サブ横罫線（１２）の延長上に設けられている。
【０００７】
第一の考案又は第二の考案に係る紙箱用ブランクを使用してメイン紙箱を組み立てるときには、共通縦罫線（１０）、メイン横罫線（１１）およびメイン縦罫線（２１）において紙箱用ブランクを折り曲げればよい。また、第一の考案に係る紙箱用ブランクを利用してサブ紙箱（メイン紙箱よりも縦寸法が小さく且つ深さ寸法が大きいもの）を組み立てるときには、切断目印（２３）に沿って第一フラップ部（２）に切込みを入れたうえで、共通縦罫線（１０）、サブ横罫線（１２）およびサブ縦罫線（２２）において紙箱用ブランクを折り曲げればよく、第二の考案に係る紙箱用ブランクを利用してサブ紙箱（メイン紙箱よりも縦寸法が小さいもの）を組み立てるときには、切断目印（２３）に沿って第一フラップ部（２）に切込みを入れたうえで、共通縦罫線（１０）、メイン横罫線（１１）、サブ横罫線（１２）およびメイン縦罫線（２１）において紙箱用ブランクを折り曲げればよい。
【０００８】
なお、切断目印（２３）は、各種罫線（例えば、押罫、切罫、ミシン罫、リード罫など）でもよいし、印刷等にて付した実線や点線などでもよい。また、「縦罫線」および「横罫線」の「縦」あるいは「横」は、便宜的に付したものであり、紙箱用ブランクを段ボールシートで形成する場合であっても、段ボールの段目の向きとは無関係である。
【０００９】
サブ横罫線（１２）、サブ縦罫線（２２）および切断目印（２３）は、メイン紙箱（Ｍ）の内面となる面のみに形成するとよい。このようにすると、メイン紙箱（Ｍ）を形成した際、サブ横罫線（１２）、サブ縦罫線（２２）および切断目印（２３）がメイン紙箱（Ｍ）の外側から看取し得なくなるので、すっきりとした外観のメイン紙箱（Ｍ）を得ることが可能となる。
【００１０】
なお、実用新案登録請求の範囲に、図面において使用した符号を括弧をして使用しているが、本考案の理解を容易ならしめるために付したものであり、本考案の技術的範囲を図面の形態に限定する趣旨ではない。
【考案の効果】
【００１１】
本考案に係る紙箱用ブランクによれば、寸法の異なる少なくとも二種類の紙箱を形成することができる。
【図面の簡単な説明】
【００１２】
【図１】本考案の実施形態に係る紙箱用ブランクの展開図である。
【図２】（ａ）および（ｂ）は、メイン紙箱の組立方法を説明するための斜視図である。
【図３】（ａ）および（ｂ）は、サブ紙箱の組立方法を説明するための斜視図である。
【図４】（ａ）はメイン紙箱を示す斜視図、（ｂ）はサブ紙箱を示す斜視図である。
【考案を実施するための形態】
【００１３】
本考案の実施形態に係る紙箱用ブランクＢは、ヤッコ型（タトウ式）のメイン紙箱Ｍ（図４の（ａ）参照。以下同様）を形成し得るとともに、メイン紙箱Ｍよりも縦寸法が小さく深さ寸法が大きいヤッコ型のサブ紙箱Ｓ（図４の（ｂ）参照。以下同様）を形成し得るものであり、図１に示すように、概ね十字状を呈する段ボールシートからなる。
【００１４】
なお、本実施形態のメイン紙箱Ｍおよびサブ紙箱Ｓは、商品配送用の紙箱である。メイン紙箱Ｍの寸法・形状は、配送頻度の高い商品の形態に合わせて形成されており、サブ紙箱Ｓは、配送頻度の低い商品の寸法・形状に合わせて形成されている。
【００１５】
以下の説明における「左右」および「前後」は、図１の状態を基準とし、図１の左右方向に延在する罫線を「横罫線」、前後方向に延在する罫線を「縦罫線」と称する。罫線の「縦」、「横」は、段ボールシートの段目の向きとは必ずしも一致していない。
また、紙箱用ブランクＢのうち、メイン紙箱Ｍ又はサブ紙箱Ｓの外面となる面を「表面」と称し、メイン紙箱Ｍ又はサブ紙箱Ｓの内面となる面（図１に示された面）を「裏面」と称する。
【００１６】
紙箱用ブランクＢは、平面視長方形の基部１と、基部１の左右に配置された一対の第一フラップ部２，２と、基部１の前後に配置された一対の第二フラップ部３，３と、第二フラップ３，３に付設された連結部４，４，…とを備えている。
【００１７】
基部１と第一フラップ部２との境界には、共通縦罫線１０が形成されており、基部１と第二フラップ部３との境界には、メイン横罫線１１が形成されている。
【００１８】
基部１は、共通縦罫線１０，１０およびメイン横罫線１１，１１で囲まれた平面視長方形の部位である。基部１には、メイン横罫線１１に平行な一対のサブ横罫線１２が形成されている。基部１の罫線寸法（図２の（ａ）に示す縦寸法ａおよび横寸法ｂ）は、適宜設定すればよいが、本実施形態では、ａ＞ｂとなっている。なお、基部１の表面には、ロゴマークや商品名などが付されている（図４参照）。
【００１９】
共通縦罫線１０は、メイン紙箱Ｍまたはサブ紙箱Ｓを組み立てる際の折り曲げ位置（折り目）となる凹溝（押罫）であり、基部１の長辺方向に形成されている。
【００２０】
メイン横罫線１１は、メイン紙箱Ｍを組み立てる際の折り曲げ位置となる凹溝（押罫）であり、基部１の短辺方向に形成されている。メイン横罫線１１は、共通縦罫線１０，１０の端部同士を繋ぐように形成されている。
【００２１】
サブ横罫線１２は、サブ紙箱Ｓを組み立てる際の折り曲げ位置となる凹溝（押罫）であり、基部１の短辺方向に沿って形成されている。下側のメイン横罫線１１と下側のサブ横罫線１２との離隔距離ｙ1は、上側のメイン横罫線１１と上側のサブ横罫線１２との離隔距離ｙ2と等しい（ｙ1＝ｙ2）。なお、離隔距離ｙ1，ｙ2は、メイン紙箱Ｍの深さ寸法と等しい。サブ横罫線１２は、共通縦罫線１０およびメイン横罫線１１よりも浅い凹溝からなり、基部１の裏面のみに現れている。
【００２２】
メイン紙箱Ｍを形成する場合には、基部１の全体がメイン紙箱Ｍの底板となる（図２参照）。サブ紙箱Ｓを形成する場合には、基部１のうち、共通縦罫線１０，１０およびサブ横罫線１２，１２で囲まれた部位がサブ紙箱Ｓの底板となり、メイン横罫線１１とサブ横罫線１２とで挟まれた部位は、サブ紙箱Ｓの側板の下半部となる（図３参照）。
【００２３】
第一フラップ部２は、共通縦罫線１０から側方に向かって張り出した平面視長方形の部位であり、基部１の四辺のうちの対向する二辺（本実施形態では長辺）の一方に繋がっている。第一フラップ部２には、共通縦罫線１０に平行なメイン縦罫線２１およびサブ縦罫線２２と、これらに直交する切断目印２３とが形成されている。
【００２４】
メイン縦罫線２１は、メイン紙箱Ｍを組み立てる際の折り曲げ位置となる凹溝（押罫）であり、基部１の長辺方向に沿って形成されている。共通縦罫線１０とメイン縦罫線２１との離隔距離（罫線寸法）ｘ1は、メイン紙箱Ｍの深さ寸法と等しい。また、メイン縦罫線２１から第一フラップ部２の側縁までの距離ｘ2は、ｘ2＞ｂ/２となっている。
【００２５】
サブ縦罫線２２は、サブ紙箱Ｓを組み立てる際の折り曲げ位置となる凹溝（押罫）であり、メイン縦罫線２１を挟んで共通縦罫線１０の反対側に形成されている。サブ縦罫線２２は、基部１の長辺方向に沿って形成されており、メイン縦罫線２１とサブ縦罫線２２との離隔距離ｘ3は、離隔距離ｘ1と等しい（ｘ1＝ｘ2）。サブ縦罫線２２は、メイン縦罫線２１よりも浅い凹溝からなり、第一フラップ部２の裏面のみに現れている。
【００２６】
切断目印２３は、サブ紙箱Ｓを形成する際の切断位置を示す凹溝（押罫）であり、サブ横罫線１２の延長上に設けられている。切断目印２３は、第一フラップ部２の全幅に亘って形成されており、サブ横罫線１２に繋がっている。切断目印２３は、メイン縦罫線２１よりも浅い凹溝からなり、第一フラップ部２の裏面のみに現れている。なお、本実施形態では、押罫を切断目印２３としたが、印刷等で付した点線や実線を切断目印としても差し支えない。
【００２７】
メイン紙箱Ｍを形成する場合には、第一フラップ部２のうち、共通縦罫線１０とメイン縦罫線２１とで挟まれた部位がメイン紙箱Ｍの側板となり、その他の部位（メイン縦罫線２１の外側に位置する部位）はメイン紙箱Ｍの外蓋板となる（図２参照）。一方、サブ紙箱Ｓを形成する場合には、第一フラップ部２のうち、共通縦罫線１０、サブ縦罫線２２および切断目印２３，２３で囲まれた部位がサブ紙箱Ｓの側板となり、サブ縦罫線２２と切断目印２３，２３で囲まれた部位がサブ紙箱Ｓの外蓋板となる（図３参照）。
【００２８】
第二フラップ部３は、メイン横罫線１１から前方または後方に向かって張り出した平面視長方形の部位であり、基部１の四辺のうち、第一フラップ部２の繋がる辺以外の二辺（本実施形態では短辺）の一方に繋がっている。第二フラップ部３には、メイン横罫線１１に平行な共通横罫線３０が形成されている。また、第二フラップ部３と連結部４との境界には、共通縦罫線３５が形成されている。
【００２９】
共通横罫線３０は、メイン紙箱Ｍまたはサブ箱Ｓを組み立てる際の折り曲げ位置となる凹溝（押罫）であり、基部１の短辺方向に沿って形成されている。メイン横罫線１１と共通横罫線３０との離隔距離（罫線寸法）ｙ3は、メイン紙箱Ｍの深さ寸法と等しい。
【００３０】
共通縦罫線３５は、メイン紙箱Ｍまたはサブ紙箱Ｓを組み立てる際の折り曲げ位置となる凹溝（押罫）であり、共通縦罫線１０の延長上に形成されている。
【００３１】
メイン紙箱Ｍを形成する場合には、第二フラップ部３のうち、メイン横罫線１１と共通横罫線３０とで挟まれた部位がメイン紙箱Ｍの側板となり、その他の部位（共通横罫線３０の外側に位置する部位）はメイン紙箱Ｍの内蓋板となる（図２参照）。一方、サブ紙箱Ｓを形成する場合には、第二フラップ部３のうちのメイン横罫線１１と共通横罫線３０とで挟まれた部位がサブ紙箱Ｓの側板の上半部となり、その他の部位（共通横罫線３０の外側に位置する部位）はサブ紙箱Ｓの内蓋板となる。
【００３２】
連結部４は、共通縦罫線３５から側方に向かって張り出した平面視長方形の部位であり、第二フラップ部３のうち、メイン横罫線１１と共通横罫線３０とに挟まれた部位に繋がっている。なお、連結部４は、第一フラップ部２に付設してもよいし、省略してもよい。
【００３３】
紙箱用ブランクＢを用いてメイン紙箱Ｍを組み立てるときには、図２の（ａ）および（ｂ）に示すように、共通縦罫線１０，１０、メイン横罫線１１，１１および共通縦罫線３５，３５，…においてに紙箱用ブランクＢを直角に折り曲げるとともに、メイン縦罫線２１において第一フラップ部２を直角に折り曲げて基部１に平行な内蓋板を形成し、さらに、共通横罫線３０において第二フラップ部３を直角に折り曲げて基部１に平行な外蓋板を形成すればよい。
【００３４】
メイン紙箱Ｍでは、共通縦罫線１０とメイン縦罫線２１とで挟まれた部位およびメイン横罫線１１と共通横罫線３０とで挟まれた部位が側板（基部１に垂直な部位）となる。また、第一フラップ部２のうち、メイン縦罫線２１の外側に位置する部位が基部１に平行な外蓋板となり、第二フラップ部３のうち、共通横罫線３０の外側に位置する部位が基部１に平行な内蓋板となる。なお、メイン紙箱Ｍを組み立てる場合、連結部４，４，…は、第一フラップ部２（より詳細には、共通縦罫線１０とメイン縦罫線２１とに挟まれた部位）の裏面に重ね合わせ、第一フラップ部２，２のうちの外蓋板となる部位は、第二フラップ部３，３のうちの内蓋板となる部位に重ね合わせる。
【００３５】
紙箱用ブランクＢを用いてサブ紙箱Ｓを組み立てるときには、図１に示す切断目印２３，２３，…に沿って第一フラップ部２，２に切込みを入れ、各第一フラップ部２を図３の（ａ）に示す本体２ａと帯片２ｂ，２ｂとに分割したうえで、共通縦罫線１０，１０および共通縦罫線３５，３５，…において紙箱用ブランクＢを直角に折り曲げるとともに、サブ横罫線１２，１２において基部１を直角に折り曲げ、さらに、サブ縦罫線２２において第一フラップ部２を直角に折り曲げるとともに、共通横罫線３０において第二フラップ部３を直角に折り曲げればよい。なお、連結部４は、切除してもよい。
【００３６】
サブ紙箱Ｓでは、共通縦罫線１０とサブ縦罫線２２とで挟まれた部位およびサブ横罫線１２と共通横罫線３０とで挟まれた部位が側板となる結果、深さ寸法（高さ寸法）がメイン紙箱Ｍよりも大きくなり、縦寸法がメイン紙箱Ｍよりも小さくなる。なお、サブ紙箱Ｓの幅寸法は、メイン紙箱Ｍの底板の幅寸法と同じである。また、サブ紙箱Ｓでは、第一フラップ部２のうち、サブ縦罫線２２の外側に位置する部位が基部１に平行な外蓋板となり、第二フラップ部３のうち、共通横罫線３０の外側に位置する部位が基部１に平行な内蓋板となる。なお、サブ紙箱Ｓを組み立てる場合、連結部４，４，…は、第一フラップ部２の本体２ａのうちのメイン縦罫線２１とサブ縦罫線２２とに挟まれた部位の裏面に重ね合わせ、第一フラップ部２の帯片２ｂ，２ｂは、本体２ａのうちの共通縦罫線１０とメイン縦罫線２１とに挟まれた部位の裏面に重ね合わせ、第一フラップ部２，２のうちの外蓋板となる部位は、第二フラップ部３，３のうちの内蓋板となる部位に重ね合わせる。
【００３７】
なお、メイン紙箱Ｍおよびサブ紙箱Ｓを商品配送等に使用する場合は、図２の（ｂ）および図３の（ｂ）の状態から裏返し、図４の（ａ）および（ｂ）に示すように、基部１の表面を上に向けた状態で使用するとよい。
【００３８】
図示は省略するが、紙箱用ブランクＢを使用して、縦寸法のみがメイン紙箱Ｍよりも小さい他のサブ紙箱（縦寸法がメイン紙箱Ｍよりも小さく、且つ、横寸法および深さ寸法がメイン紙箱Ｍと等しいヤッコ型のサブ紙箱；以下「第二のサブ紙箱」という。）を形成することもできる。この場合には、図１に示す切断目印２３，２３，…に沿って切込みを入れて各第一フラップ部２を図３の（ａ）に示す本体２ａと帯片２ｂ，２ｂとに分割し、さらに共通縦罫線３５，３５，…に沿って切込みを入れて連結部４を切除したうえで、共通縦罫線１０，１０において紙箱用ブランクＢを直角に折り曲げるとともに、サブ横罫線１２，１２において基部１を直角に折り曲げ、さらに、メイン縦罫線２１において第一フラップ部２を直角に折り曲げるとともに、メイン横罫線１１において紙箱用ブランクＢを直角に折り曲げればよい。サブ縦罫線２２および共通横罫線３０は使用しない。
【００３９】
以上のとおり、本実施形態に係る紙箱用ブランクＢによれば、新たな切断加工を施すことなくメイン紙箱Ｍを形成することができ、さらには、紙箱用ブランクＢに対して軽微な加工（切断目印２３や共通縦罫線３５に沿った切断加工）を追加するだけで、メイン紙箱Ｍとは寸法の異なるサブ紙箱Ｓあるいはサブ紙箱Ｓとも寸法の異なる第二のサブ紙箱（図示略）を形成することができる。
【００４０】
また、サブ横罫線１２、サブ縦罫線２２および切断目印２３をメイン紙箱Ｍの内面となる面のみに形成しているので、メイン紙箱Ｍを形成した際には、サブ横罫線１２、サブ縦罫線２２および切断目印２３がメイン紙箱Ｍの外面に現れず、したがって、すっきりとした外観のメイン紙箱Ｍを得ることが可能となる。なお、メイン紙箱Ｍおよびサブ紙箱Ｓのいずれを組み立てる際にも使用する共通縦罫線１０および共通横罫線３０、並びに、使用頻度の高いメイン紙箱Ｍを組み立てる際に使用するメイン横罫線１１およびメイン縦罫線２１については、サブ横罫線１２等よりも溝深さの大きい押罫としているので、簡易且つ迅速にメイン紙箱Ｍを組み立てることができる。
【００４１】
図示は省略するが、深さ寸法のみがメイン紙箱Ｍと異なる他のサブ紙箱（縦横寸法がメイン紙箱Ｍと等しく、且つ、深さ寸法がメイン紙箱Ｍと異なるヤッコ型のサブ紙箱；以下「第三のサブ紙箱」という。）を形成し得るよう、共通縦罫線１０に平行な予備縦罫線を第一フラップ部２に追加するとともに、メイン横罫線１１，１１に平行な予備横罫線を第二フラップ部３に追加してもよい。而して、共通縦罫線１０およびメイン横罫線１１において紙箱用ブランクを折り曲げるとともに、メイン縦罫線２１に代えて予備縦罫線において第一フラップ部２を折り曲げ、共通横罫線３０に代えて予備横罫線において第二フラップ部３を折り曲げれば、切断目印２３に切込みを入れずに、サブ紙箱Ｓ（図４の（ｂ）参照）とは異なる第三のサブ紙箱を形成することができる。なお、予備縦罫線および予備横罫線の組を複数形成してもよいし、サブ縦罫線２２を予備縦罫線として利用してもよい。このように、予備横罫線および予備縦罫線の組を少なくとも一つ形成しておけば、一つの紙箱用ブランクから深さ寸法の異なる少なくとも三種類の紙箱を形成することが可能となる。ちなみに、第三のサブ紙箱の深さ寸法をメイン紙箱Ｍよりも大きくする場合には、メイン縦罫線２１よりも外側に予備縦罫線を形成するとともに、共通横罫線３０の外側に予備横罫線を形成すればよい。また、第三のサブ紙箱の深さ寸法をメイン紙箱Ｍよりも小さくする場合には、共通縦罫線１０とメイン縦罫線２１との間に予備縦罫線を形成するとともに、メイン横罫線１１と共通横罫線３０との間に予備横罫線を形成すればよい。
【００４２】
なお、本実施形態では、メイン紙箱Ｍおよびサブ紙箱Ｓがヤッコ型（タトウ式）である場合を例示したが、本考案は、例えば、いわゆるＮ式箱にも適用することができる。
【符号の説明】
【００４３】
Ｍ    メイン紙箱
Ｓ    サブ紙箱
Ｂ    紙箱用ブランク
１    基部  
１０    共通縦罫線
１１    メイン横罫線
１２    サブ横罫線
２    第一フラップ部
２１    メイン縦罫線
２２    サブ縦罫線
２３    切断目印  
３    第二フラップ部
【図１】
0003171869.tif 000003
【図２】
0003171869.tif 000004
【図３】
0003171869.tif 000005
【図４】
0003171869.tif 000006